(57)【要約】【課題】高齢者を含めて誰でも手軽に、かつ使用者の体格、年齢、性別等に応じて適切な伸縮力によって腱鞘炎の発症を予防するためストレッチを行うことができる腱鞘炎予防ストレッチ器具を提供する。【解決手段】手全体が挿入される一対の手袋本体２，３と、手袋本体２，３の手袋先端部同士を接続した伸縮性を有するバンド部材５と、このバンド部材５の一部を挟み込むようにして固定して該バンド部材５の長さを調整するバンド固定部材６と、手袋本体２，３の手袋先端部とバンド部材５の先端との間に固定され、手袋本体２，３をバンド部材５に対して回転可能に連結した連結部材４とを備え、手袋本体２，３に使用者の手を挿入し、バンド部材５を首部の後ろにまわして、バンド部材５の伸縮力を利用して例えば手首を上下に動かすようにしてストレッチする。【選択図】図１
2014087389.tif 000002
【特許請求の範囲】
【請求項１】
手首近傍から手全体が挿入される一対の手袋本体と、
前記一対の手袋本体の手袋先端部同士を接続した伸縮性を有するバンド部材と、
前記バンド部材の一部を挟み込むように固定して該バンド部材の長さを調整するバンド固定部材とを備え、
前記一対の手袋本体に手が入れられ、前記バンド部材が使用者の身体背部にまわされて、前記バンド部材の伸縮性を利用して少なくとも手首を動かすストレッチが行われることを特徴する腱鞘炎予防ストレッチ器具。
【請求項２】
前記一対の手袋本体の手袋先端部と前記バンド部材の先端との間に固定され、前記一対の手袋本体を前記バンド部材に対して回転可能に連結した連結部材を有することを特徴とする請求項１に記載の腱鞘炎予防ストレッチ器具。
【請求項３】
前記手袋本体は、親指が挿入される親指袋部と、親指以外の他の４本の指が挿入される本体袋部を有するミトン型手袋であることを特徴とする請求項１又は２に記載の腱鞘炎予防ストレッチ器具。
【発明の詳細な説明】
【技術分野】
【０００１】
本発明は、腱鞘炎の発症を予防するための腱鞘炎予防ストレッチ器具に関する。
【背景技術】
【０００２】
例えば、職場等でパソコンを使用して仕事をする人などは、長時間同じ姿勢で毎日キーボードやマウスを操作するために手首や指などに負担がかかっており、手首や指を酷使続けると腱鞘炎になることがある。また、パソコンで仕事する人以外でも、手（指）を長時間酷使する職業の人などは腱鞘炎になり易い。
【０００３】
このため、腱鞘炎の発症を予防するために、例えば、特許文献１では、伸縮性を有するシート状支持体の片面側に粘着層を形成した伸縮性テープの前記粘着層の面を、手の親指及び小指から手首にかけて貼り付け、シート状支持体の伸縮性を利用して親指や小指付近の筋肉（筋や腱）の伸び縮みを適度にコントロールするようにしている。
【先行技術文献】
【特許文献】
【０００４】
【特許文献１】特開平６−３３９４９５号公報
【発明の概要】
【発明が解決しようとする課題】
【０００５】
ところで、特許文献１の伸縮性テープでは、片面側の粘着層の面を手の親指及び小指から手首にかけて貼り付ける必要があるので、特に高齢者はうまく所定位置に貼り付けができなかったり、貼り付けに時間を要し、高齢者を含めて誰でも手軽に使用することが難しかった。
【０００６】
また、特許文献１の伸縮性テープは、シート状支持体の伸縮力が一定なので、使用者の体格、年齢、性別等に応じて適切な伸縮力に調整することができなかった。
【０００７】
そこで、本発明は、高齢者を含めて誰でも手軽に、かつ使用者の体格、年齢、性別等に応じて適切な伸縮力によって腱鞘炎の発症を予防するためストレッチを行うことができる腱鞘炎予防ストレッチ器具を提供することを目的とする。
【課題を解決するための手段】
【０００８】
前記目的を達成するために本発明に係る腱鞘炎予防ストレッチ器具は、手首近傍から手全体が挿入される一対の手袋本体と、前記一対の手袋本体の手袋先端部同士を接続した伸縮性を有するバンド部材と、前記バンド部材の一部を挟み込むように固定して該バンド部材の長さを調整するバンド固定部材とを備え、前記一対の手袋本体に手が入れられ、前記バンド部材が使用者の身体背部にまわされて、前記バンド部材の伸縮性を利用して少なくとも手首を動かすストレッチが行われることを特徴としている。
【発明の効果】
【０００９】
本発明に係る腱鞘炎予防ストレッチ器具によれば、一対の手袋本体に手を挿入し、バンド部材を使用者の身体背部（首部の後ろや背中）にまわして、バンド部材の伸縮力を利用して例えば手首を上下に動かすだけで、高齢者を含めて誰でも手軽に、腱鞘炎が発症し易い手首付近（特に親指の付け根付近）から肘にかけての腱や筋を無理なく効果的にストレッチすることができる。
【００１０】
更に、バンド部材の伸縮力は、バンド固定部材でバンド部材の長さを調整することで、使用者の体格、年齢、性別等に応じて適切に調整することができるので、使用者の体格、年齢、性別等に応じて適切な伸縮力によって腱鞘炎の発症を予防するためストレッチを行うことができる。
【図面の簡単な説明】
【００１１】
【図１】本発明の実施形態に係る腱鞘炎予防ストレッチ器具を示す概略図。
【図２】（ａ）は、バンド固定部材を示す図、（ｂ）は、バンド固定部材の可動体を押し込んだ状態を示す図。
【図３】（ａ）は、バンド固定部材の可動体を押し込んで開口穴にバンド部材を挿通した状態を示す図、（ｂ）は、バンド固定部材のコイルバネのバネ力によってバンド部材の一部を固定した状態を示す図。
【図４】本発明の実施形態に係る腱鞘炎予防ストレッチ器具による、腱鞘炎の発症を予防するためのストレッチ動作の一例を示す図。
【図５】本発明の実施形態に係る腱鞘炎予防ストレッチ器具による、腱鞘炎の発症を予防するためのストレッチ動作の一例を示す図。
【図６】本発明の実施形態に係る腱鞘炎予防ストレッチ器具による、腱鞘炎の発症を予防するためのストレッチ動作の一例を示す図。
【図７】本発明の実施形態に係る腱鞘炎予防ストレッチ器具による、腱鞘炎の発症を予防するためのストレッチ動作の一例を示す図。
【図８】（ａ）は、左手用手袋本体の手首覆い部に設けたベルト部を示す図、（ｂ）は、ベルト部の第１面ファスナーに第２面ファスナーを接着した状態を示す図。
【発明を実施するための形態】
【００１２】
以下、本発明を図示の実施形態に基づいて説明する。図１は、本発明の実施形態に係る腱鞘炎予防ストレッチ器具を示す概略図である。
【００１３】
図１に示すように、本実施形態に係る腱鞘炎予防ストレッチ器具１は、左手用手袋本体２と、右手用手袋本体３と、各手袋本体２，３の手袋先端部と連結部材４を介して接続された伸縮性を有するバンド部材５と、バンド部材５の長さを調整して所定長さに固定するためのバンド固定部材６を備えている。
【００１４】
左手用手袋本体２と右手用手袋本体３は、例えば綿混素材や化合繊維等によって縫製されたミント型手袋であり、親指が入る親指袋部２ａ，３ａと、他の指（人差し指、中指、薬指、小指）が入る本体袋部２ｂ，３ｂと、手首部の周囲を覆う手首覆い部２ｃ，３ｃを有し、手の入れ易さと入れたときのフィット感をよくするために全体的に若干の伸縮性を有している。また、手首覆い部２ｃ，３ｃには、手を入れた装着時に手首周囲を少し締め付けて装着感を良くすると共に抜けにくくするために、周方向に沿ってゴムバンド７が縫着されている。
【００１５】
なお、夏場等でも入れた手が蒸れないように、左手用手袋本体２と右手用手袋本体３の手の甲側が接する面の少なくとも一部をメッシュ状に形成して、通気性を高めるようにしてもよい。
【００１６】
連結部材４は、本体袋部２ｂ，３ｂの先端部にそれぞれ挟み込まれるようにして固定された袋部側固定具４ａと、バンド部材５の先端にそれぞれ固定されたバンド部材側固定具４ｂと、袋部側固定具４ａとバンド部材側固定具４ｂとの間に回転可能に連結された連結具４ｃを有し、回転可能な連結具４ｃによって左手用手袋本体２と右手用手袋本体３側のみを回転させることができる。これにより、バンド部材５が捻れることを防止することができる。
【００１７】
バンド部材５は、例えば所定の伸縮力（弾性力）を有するゴム材（ゴムバンド）によって形成されている。バンド部材５の略中央部には、バンド部材５の長さを調整して所定の長さで固定するためのバンド固定部材６が取り付けられている。
【００１８】
このバンド固定部材６は、図２（ａ），（ｂ）に示すように、一端側が閉塞し他端側が開口した円筒状のバンド固定本体１０と、このバンド固定本体１０の内周面に略接するように挿入された円筒状の可動体１１と、バンド固定本体１０内の底面と可動体１１の底部との間に固定されたコイルバネ１２を有している。バンド固定本体１０内の底面と可動体１１の底部には、コイルバネ１２の両端がそれぞれ固定されているので、可動体１１がバンド固定本体１０の開口側から抜け出すことはない。
【００１９】
また、バンド固定本体１０と可動体１１の径方向に沿った両側面には、略同じ大きさの円形状の開口穴１０ａ，１１ａがそれぞれ形成されており、図２（ａ）に示すように、コイルバネ１２のバネ力で可動体１１がバンド固定本体１０の開口側に付勢されているときは、開口穴１１ａは開口穴１０ａからずれた位置にある。一方、図２（ｂ）に示すように、可動体１１がコイルバネ１２のバネ力に抗してバンド固定本体１０内に押し込まれたときは、開口穴１１ａは開口穴１０ａと略重なる位置にある。
【００２０】
そして、図３（ａ）に示すように、可動体１１を押し込んで開口穴１１ａと開口穴１０ａが略重なっているときに、バンド部材５の略中央部を折り返すようにして、その折り返した先端部５ａ側をこの略重なっている開口穴１０ａ，１１ａに挿通する。そして、図３（ｂ）に示すように、バンド部材５の折り返した先端部５ａ側を開口穴１０ａ，１１ａから所定の長さだけ引き抜いた後に可動体１１の押し込みを解除することで、開口穴１０ａと開口穴１１ａとの間の穴縁部に、コイルバネ１２のバネ力によってバンド部材５の一部を挟み込んで固定することができる。
【００２１】
これにより、バンド固定部材６によってバンド部材５の長さを使用者に応じて調整することができるので、使用者に応じてバンド部材５の伸縮力を適切に、かつ容易に調整することができる。
【００２２】
次に、上記した腱鞘炎予防ストレッチ器具１による、腱鞘炎の発症を予防するためのストレッチ動作の例を、図４、図５、図６、図７を参照して説明する。
【００２３】
例えば、図４に示すように、腱鞘炎予防ストレッチ器具１のバンド部材５を使用者Ａの首部の後ろにまわし、左手用手袋本体２と右手用手袋本体３にそれぞれ左手と右手を入れた状態で、両腕を前方に伸ばして肘（前腕部）を少し上側に曲げる。この際、手の甲を使用者Ａの顔側に向ける。
【００２４】
そして、バンド部材５の伸縮力を利用して手首を上下に動かす。この際、肘も同時に少し上下に動かすようにしてもよい。
【００２５】
また、ストレッチ動作開始前に使用者の体格、年齢、性別等に応じてバンド部材５の長さをバンド固定部材６で調整することで、バンド部材５の伸縮力の大きさを適切に調整することができる。即ち、バンド固定部材６によるバンド部材５の挟み込みを最小にしている状態では、バンド部材５の伸縮力の大きさが一番最小であり、バンド固定部材６によるバンド部材５の挟み込みの長さを増すことによってバンド部材５の実質的な長さが短くなり、バンド部材５の伸縮力の大きさが増加する。なお、バンド固定部材６によるバンド部材５の長さ調整は、前記した図３（ａ），（ｂ）のようにして容易に行うことができる。
【００２６】
また、腱鞘炎予防ストレッチ器具１によるストレッチ動作の他の例としては、例えば、図５に示すように、腱鞘炎予防ストレッチ器具１のバンド部材５を使用者Ａの首部の後ろにまわし、左手用手袋本体２と右手用手袋本体３にそれぞれ左手と右手を入れた状態で、両腕を略横方向（左右方向）に広げる。この際、肘も略左右方向に伸ばし、手の甲を上側に向ける。
【００２７】
そして、バンド部材５の伸縮力を利用して手首を上下に動かす。この際、肩、肘も同時に少し上下に動かすようにしてもよい。
【００２８】
更に、腱鞘炎予防ストレッチ器具１によるストレッチ動作の他の例としては、例えば、図６に示すように、腱鞘炎予防ストレッチ器具１のバンド部材５を使用者Ａの首部の後ろにまわし、左手用手袋本体２と右手用手袋本体３にそれぞれ左手と右手を入れた状態で、両腕（肘、手首）を前方に略真っすぐに伸ばし、更に手先側も前方に略真っすぐに伸ばす。
【００２９】
この際、バンド部材５が伸びているので、手先側に一定の張力が作用している。そして、この状態で腕全体をひねるようにして手首、肘を左右に回す。この際、肩も同時に少し左右に回してもよい。
【００３０】
更にまた、腱鞘炎予防ストレッチ器具１によるストレッチ動作の他の例としては、例えば、図７に示すように、腱鞘炎予防ストレッチ器具１のバンド部材５を使用者Ａの背中の上部付近（脇付近）にまわし、左手用手袋本体２と右手用手袋本体３にそれぞれ左手と右手を入れた状態で、両腕（肘、手首）を上方に伸ばし、更に手先側も上方に伸ばす。
【００３１】
この際、バンド部材５を背中から脇の下に通していることにより、両腕を上に伸ばした状態でもバンド部材５がずれることなく上方に伸びているので、手先側に一定の張力が作用している。そして、この状態で手首を動かす。この際、肩、肘も同時に少し動かすようにしてもよい。
【００３２】
また、両腕を上に伸ばした状態から一方の腕を下げ、この状態で手首を動かすこともできる。この際、他方の腕は上方に伸びてバンド部材５も上方に伸びているので、バンド部材５が背中からずれ落ちることはない。
【００３３】
なお、図４〜図７に示したストレッチ動作時の腕（肘、手首）の動きは代表的な例であり、使用者の肩や肘、手首等を痛めない範囲で、バンド部材５の伸縮力を利用して手首、肘、肩、腰等を適度に曲げてストレッチするようにしてもよい。
【００３４】
このように、腱鞘炎予防ストレッチ器具１の左手用手袋本体２と右手用手袋本体３に手を入れてバンド部材５を首部の後ろ又は背中にまわし、バンド部材５の伸縮力を利用して使用者が手首や肘等を動かすだけで、高齢者を含めて誰でも手軽に腱鞘炎が発症し易い手首付近（特に親指の付け根付近）から肘にかけての腱や筋を無理なく効果的にストレッチすることができる。
【００３５】
更に、バンド部材５の伸縮力は、バンド固定部材６でバンド部材５の長さを調整することで、使用者の体格、年齢、性別等に応じて適切に調整することができる。よって、上記した腱鞘炎予防ストレッチ器具１を使用することで、使用者の体格、年齢、性別等に応じて適切な伸縮力によって、腱鞘炎の発症を予防するためストレッチを手軽に行うことができる。
【００３６】
また、腱鞘炎予防ストレッチ器具１の左手用手袋本体２と右手用手袋本体３に手を入れてバンド部材５を首部の後ろ又は背中にまわし、バンド部材５の伸縮力を利用して手首、肘、肩、腰等を動かすことにより、腕を含み上半身全体を効果的にストレッチすることができる。
【００３７】
また、図６に示したように、腱鞘炎予防ストレッチ器具１の左手用手袋本体２と右手用手袋本体３に手を入れてバンド部材５を首部の後ろにまわし、例えば腕を前方に伸ばした状態（この際、バンド部材５が伸びているので手先側に一定の張力が作用している）で、左手用手袋本体２と右手用手袋本体３内に入れている各指（親指、人差し指、中指、薬指、小指）をランダムに閉じたり開いたりする指先運動を行うこともできる。
【００３８】
更に、図７に示したように、腱鞘炎予防ストレッチ器具１のバンド部材５を使用者Ａの背中の上部付近（脇付近）にまわし、左手用手袋本体２と右手用手袋本体３にそれぞれ左手と右手を入れた状態で、例えば、両腕（肘、手首）を上方に伸ばした状態から一方の腕を上に伸ばして他方の腕下げたりするような、ランダムな腕の上げ下げ運動を行うこともできる。
【００３９】
このような指先運動や腕の上げ下げ運動を行うことによって脳が刺激されるので、認知症などの予防のための指先運動を高齢者でも無理なく遊び感覚で行うことができる。
【００４０】
なお、前記実施形態では、手首覆い部２ｃ，３ｃに設けたゴムバンド７で手首周囲を適度に締め付けるようにしていたが、図８（ａ）に示すように、左手用手袋本体２の手首覆い部２ｃに、裏面に第１面ファスナー１３を取付けたベルト部１４と、第１面ファスナー１３を着脱可能に接着する第２面ファスナー１５を設けてもよい。
【００４１】
この場合には、図８（ｂ）に示すように、ベルト部１４で手首覆い部２ｃを締め付けるようにして第１面ファスナー１３を第２面ファスナー１５に着脱可能に接着することで、手を入れたときの手首部の締め付け具合を容易に調整することができる。なお、図８（ａ），（ｂ）は左手用手袋本体２の手首覆い部２ｃであったが、右手用手袋本体３の手首覆い部３ｃにおいても同様である。
【符号の説明】
【００４２】
１        腱鞘炎予防ストレッチ器具
２        左手用手袋本体
３        右手用手袋本体
２ａ，３ａ      親指袋部
２ｂ，３ｂ      本体袋部
２ｃ，３ｃ      手首覆い部
４        連結部材
５        バンド部材
６        バンド固定部材
７        ゴムバンド
１４      ベルト部
【図１】
2014087389.tif 000003
【図２】
2014087389.tif 000004
【図３】
2014087389.tif 000005
【図４】
2014087389.tif 000006
【図５】
2014087389.tif 000007
【図６】
2014087389.tif 000008
【図７】
2014087389.tif 000009
【図８】
2014087389.tif 000010